(57)【要約】      （修正有）【課題】監視盤の製造における作業効率を向上させることができる監視盤を提供する。【解決手段】筐体２と、筐体２の内部に収容され、電力設備の監視をする内部機器３と、開口部４１を有する扉４と、扉４と別体をなし、開口部４１に着脱可能に取り付けられるパネル５と、を備える。そして、パネル５は、電力設備の監視をする外面機器が取り付けられている。内部機器３は、内部機器３と電気的に接続する第１のコネクタ３１を有し、パネル５は外面機器の配線を集約した第２のコネクタを有し、前記外面機器は第１のコネクタ３１と前記第２のコネクタの接続により、内部機器３と電気的に接続している。【選択図】図１
2020114148.tif 000002
【特許請求の範囲】
【請求項１】
筐体と、
前記筐体の内部に収容され、電力設備の監視をする内部機器と、
開口部を有する扉と、
前記扉と別体をなし、前記開口部に着脱可能に取り付けられるパネルと、
を備え、
前記パネルは、電力設備の監視をする外面機器が取り付けられていること、
を特徴とする監視盤。
【請求項２】
前記内部機器は、前記内部機器と電気的に接続する第１のコネクタを有し、
前記パネルは、前記外面機器の配線を集約した第２のコネクタを有し、
前記外面機器は、前記第１のコネクタと前記第２のコネクタの接続により、前記内部機器と電気的に接続していること、
を特徴とする請求項１に記載の監視盤。
【請求項３】
前記扉は、前記内部機器の異常を表示する表示器を有し、
前記表示器は、前記第１のコネクタとは異なる配線で前記内部機器と接続していること、
を特徴とする請求項２に記載の監視盤。
【請求項４】
前記パネルは、前記扉にネジ締結により着脱可能に固定されていること、
を特徴とする請求項１乃至３の何れかに記載の監視盤。
【請求項５】
前記パネルは、前記開口部に前記パネルを取り付ける際の目印となる位置決め部を有すること、
を特徴とする請求項１乃至４の何れかに記載の監視盤。
【請求項６】
前記位置決め部は、前記パネルの下側に設けられていること、
を特徴とする請求項５に記載の監視盤。
【発明の詳細な説明】
【技術分野】
【０００１】
本発明の実施形態は、監視盤に関する。
【背景技術】
【０００２】
監視盤は、監視制御対象となる電力設備を監視し、異常があれば設備管理者に知らせる役割を担っている。つまり、監視盤は、監視制御対象となる電力設備の状態を監視し、異常を外部から目視で確認できるように構成されている。
【０００３】
一般的に、監視盤は、監視制御対象である電力設備の状態を監視する内部機器と、内部機器を収容した筐体と、表示装置を有し筐体の一側面をなす扉と、を備える。そして、監視盤は、内部機器が監視している電力設備の状態や異常情報を表示装置に表示させる。つまり、内部機器と表示装置は配線によって電気的に接続している。
【先行技術文献】
【特許文献】
【０００４】
【特許文献１】特開２０１６−２０１８７６号公報
【発明の概要】
【発明が解決しようとする課題】
【０００５】
このような監視盤の製造方法としては、内部機器を筐体の内部に収容する作業、表示装置を扉に取り付ける作業及び内部機器と表示装置を電気的に接続する作業を行う必要がある。しかし、作業スペース上、複数人でこれらの作業を行うことができず、１人の作業者がこれらの作業を全て行う必要がある。そのため、監視盤製造の作業時間が長期化していた。
【０００６】
本発明の実施形態は、監視盤の製造における作業効率を向上させることができる監視盤を提供することにある。
【課題を解決するための手段】
【０００７】
本実施形態の監視盤は、筐体と、前記筐体の内部に収容され、電力設備の監視をする内部機器と、開口部を有する扉と、前記扉と別体をなし、前記開口部に着脱可能に取り付けられるパネルと、を備え、前記パネルは、電力設備の監視をする外面機器が取り付けられている。
【図面の簡単な説明】
【０００８】
【図１】第１の実施形態の監視盤の全体構成を示す斜視図である。
【図２】第１の実施形態の扉の正面図である。
【図３】第１の実施形態のパネルの（ａ）正面図、（ｂ）背面図である。
【図４】パネルが扉に取り付けられた状態を示す模式図である。
【図５】第１の実施形態におけるパネルが取り付けられた扉の背面図である。
【図６】第２の実施形態の監視盤の斜視図である。
【図７】他の実施形態の監視盤の斜視図である。
【発明を実施するための形態】
【０００９】
（第１の実施形態）
第１の実施形態に係る監視盤について図面を参照しつつ説明する。図１は、第１の実施形態に係る監視盤の全体構成を示す斜視図である。監視盤１は、電力設備の状態の監視を行い、当該電力設備の状態や異常情報を外部から視認可能に表示する。図１に示すように、監視盤１は、筐体２、内部機器３、扉４、パネル５を備える。なお、図１に示す点線は、扉４の正面（扉４を閉めた際に内部機器３と対向する面の反対側の面）に取り付けられているパネル５を示す。
【００１０】
筐体２は、金属製の直方体形状の容器である。筐体２は、開口２１を有する。開口２１は、筐体２の側面のうち一面全体を開放している。
【００１１】
内部機器３は、電力設備の状態を監視する機器である。即ち、内部機器３は、電力設備の監視に必要な情報を取り入れて保持、演算、伝達等の処理を行う機器である。内部機器３としては、例えば、ＰＬＣ(programmable logic controller）等の比較的大型の大型実装品、リレー、アレスタ、ハブ、タイマ等の比較的小型の小型実装品などを挙げることができる。電力設備とは、遮断器、断路器等の開閉器、変圧器、保護リレー等の受配電系統、送配電系統といった設備などを含む。
【００１２】
内部機器３は、筐体２の内部に収容される。内部機器３は、他の機器と電気的に接続するためのコネクタ３１を有する。コネクタ３１は、後述するパネル５が有するコネクタ５４と接続する。また、コネクタ３１は、全ての内部機器３の配線が集約されている。なお、本実施形態では、コネクタ３１には全ての内部機器３の配線を集約させたが、これに限定されず、コネクタ３１には少なくとも内部機器３の一部の配線を集約させればよい。即ち、内部機器３と外面機器５１の接続は、コネクタ３１のみではなく、別個独立した配線によって行ってもよい。
【００１３】
扉４は、筐体２の開口２１を開閉する金属板である。つまり、扉４は、筐体２の開口２１と略同一の大きさを有する。即ち、扉４は、筐体２の一側面をなす。扉４のＺ軸方向（垂直方向）の一辺側が、不図示の蝶番により筐体２に回動可能に取り付けられている。
【００１４】
図２は、扉４の正面図である。図２に示すように、扉４は、開口部４１、取付穴４２、ハンドルを有する。開口部４１は、概略矩形状を有する。開口部４１は、後述するパネル５が取り付けられる開口である。開口部４１は、底面４１１、及び側面４１２、４１３を有する。取付穴４２は、パネル５が有するネジを挿入する穴である。取付穴４２は、４つ設けられている。取付穴４２は、概略矩形状の開口部４１の各角近辺にそれぞれ配置される。
【００１５】
パネル５は、扉４とは別体をなす。パネル５は、金属板からなる。パネル５は、開口部４１よりやや大きい概略矩形状を有する。開口部４１よりやや大きいとは、後述するパネル５を扉４にネジ締によって固定させることができる程度大きいことをいう。パネル５は、扉４の開口部４１に着脱可能に取り付けられる。図３は、パネル５の（ａ）正面図及び（ｂ）背面図である。図４は、パネル５が扉４に取り付けられた状態を示す模式図である。図３（ａ）、（ｂ）及び図４に示すように、パネル５は、外面機器５１、ネジ５２、位置決め部５３、コネクタ５４を有する。
【００１６】
外面機器５１は、電力設備の状態を監視し、パネル５に取り付けられた機器である。本実施形態では、外面機器５１は、扉４を開かず外部から目視可能に取り付けられている。つまり、外面機器５１は、パネル５の表面に取り付けられている。パネル５の表面とは、扉４を閉めた際に内部機器３と対向する面（以下、パネル５の背面とも称する）と反対側の面のことをいう。なお、本実施形態の外面機器５１は、パネル５の表面に取り付けられていたが、外面機器５１は、パネル５に取り付けられていればよく、パネル５の背面に取り付けられているものも含む。
【００１７】
外面機器５１は、例えば、表示装置、スイッチ、ランプ等といった機器である。表示装置は、電力設備の状態や異常情報を表示する。スイッチは、対応する電力設備の開閉器の開閉を切り換える。つまり、操作者がスイッチを操作することで、スイッチに対応する開閉器に制御信号が出力される。各スイッチには、ランプが付されている。ランプは、スイッチが入の時には赤に、切の時は緑に光ることにより、入切の状態を表す。
【００１８】
ネジ５２は、取付穴４２と同数設けられている。即ち、本実施形態では、パネル５は、４つのネジ５２を有する。ネジ５２は、パネル５の背面に設けられている。図４に示すように、ネジ５２は、取付穴４２に挿入され、雌ネジ５５により締結される。このように、パネル５は、ネジ５２を締結することで、扉４に着脱可能に固定される。
【００１９】
位置決め部５３は、金属製の部材からなり、溶接などによりパネル５の背面に固着されている。位置決め部５３は、パネル５の背面と直交する方向に延びている。位置決め部５３は、概略直方体形状を有する。位置決め部５３は、パネル５を扉４に固定する際に、ネジ５２を取付穴４２に導く目印である。
【００２０】
図５は、パネル５が取り付けられた扉４の背面図である。図５に示すように、位置決め部５３は、パネル５の下側に設けられている。位置決め部５３の個数は、特にこれに限定されないが、本実施形態では、２つ有する。この２つの位置決め部５３を、位置決め部５３ａ、５３ｂと呼ぶ。なお、位置決め部５３が複数設けられている場合、少なくとも１つの位置決め部５３がパネル５の下側に設けられていればよい。例えば、本実施形態のように、位置決め部５３が２つある場合、１つをパネル５の下側に設けてあればよく、もう１つはパネル５の上側に設けてもよい。
【００２１】
位置決め部５３ａ、５３ｂは、Ｘ軸方向（水平方向）に平行に配置される。また、位置決め部５３ａ、５３ｂは、開口部４１の角と接する。具体的には、位置決め部５３ａは、開口部４１の底面４１１及び側面４１２と接する。一方、位置決め部５３ｂは、開口部４１の底面４１１及び側面４１３と接する。位置決め部５３ａが底面４１１及び側面４１２と接し、かつ、位置決め部５３ｂが底面４１１及び側面４１３と接するときに、ネジ５２は、取付穴４２の位置に配置される。
【００２２】
コネクタ５４は、内部機器３と繋がっているコネクタ３１と接続する。コネクタ５４は、外面機器５１と電気的に接続している。コネクタ５４は、パネル５が有する全ての外面機器５１の配線が集約されている。即ち、コネクタ５４とコネクタ３１を接続させることで、全ての外面機器５１は、内部機器３と電気的に接続する。
【００２３】
（監視盤の製造方法）
次に、本実施形態の監視盤１の製造方法について説明する。監視盤１の製造方法としては、内部機器搭載工程、パネル作製工程、パネル取付工程、コネクタ接続工程を有する。
【００２４】
内部機器搭載工程は、筐体２に内部機器３を収容し、内部機器３の配線をコネクタ３１と接続させる工程である。パネル作製工程は、パネル５を作製する工程である。つまり、パネル５に、外面機器５１を取り付け、外面機器５１の配線をコネクタ５４に集約させる。
【００２５】
パネル５は、扉４と着脱可能に設けられているので、パネル作製工程は、内部機器搭載工程とは異なる場所で行うことができる。つまり、作業者の１人が内部機器搭載工程における作業を行い、他の作業者がパネル作製工程における作業を行うことができる。よって、内部機器搭載工程とパネル作製工程を同時並行に行うことができる。
【００２６】
内部機器搭載工程及びパネル作製工程が終わると、パネル取付工程に移行する。パネル取付工程は、パネル５を扉４に取り付け固定する工程である。作業者は、位置決め部５３ａが開口部４１の底面４１１及び側面４１２と、位置決め部５３ｂが底面４１１及び側面４１３と、接するように位置決め部５３ａ、５３ｂを開口部４１に挿入する。この時、ネジ５２は、取付穴４２の位置にあるため、容易にネジ５２を取付穴４２に挿入させることができる。
【００２７】
その後、取付穴４２を貫通したネジ５２を雌ネジ５５で締結し、パネル５を扉４に固定する。ここで、パネル５は金属板なので、重量が重い。そのため、作業者は、パネル５を支えながらネジ５２締め作業を行うことになり、重労働となる。しかし、本実施形態では、位置決め部５３ａ、５３ｂは、パネル５の下側に設けられ、底面４１１と接している。つまり、底面４１１によって位置決め部５３ａ、５３ｂが支持される。よって、作業者にかかる重さが緩和され、ネジ５２締め作業を効率良く行うことができる。
【００２８】
コネクタ接続工程は、コネクタ５４とコネクタ３１を接続する工程である。コネクタ５４とコネクタ３１を接続させることで、パネル５の有する外面機器５１と内部機器３を電気的に接続させることができる。
【００２９】
（作用効果）
以上のように、本実施形態の監視盤１は、筐体２と、筐体２の内部に収容され、電力設備の監視をする内部機器３と、開口部４１を有する扉４と、扉４と別体をなし、開口部４１に着脱可能に取り付けられるパネル５と、を備え、パネル５には、電力設備の監視をする外面機器５１が取り付けられている。
【００３０】
これにより、内部機器３を筐体２内に搭載し、内部機器３の配線を引く作業と、パネル５に外面機器５１を取付け、外面機器５１の配線を引く作業を同時並行して行うことができる。よって、監視盤１の製造を効率良く行うことができ、監視盤１の製造時間を短縮でき、生産性が向上する。
【００３１】
また、監視盤１を運用させた後、電力設備の監視対象の増減等といった変更が生じると、外面機器にも増減等の変更が生じる。このような場合、従来は、外面機器が取り付けられた扉自体を新たに作製する、または、扉に追加加工を施して内部機器との配線を引く必要があった。
【００３２】
しかし、本実施形態では、外面機器５１を有するパネル５は、扉４に着脱可能に固定されている。つまり、変更後に対応する外面機器５１を取り付けたパネル５を予め作製し、変更前のパネル５を扉４から取り外し、変更後のパネル５を取り付けるだけで、外面機器５１の取り付け作業を完了させることができる。よって、作業効率が向上し、監視盤１が電力設備の状態の監視を停止する時間を最小限に抑えることができる。また、扉４ごと取り換える必要がないためコスト削減を図ることができる。
【００３３】
内部機器３と繋がる第１のコネクタ３１を更に備え、パネル５は、外面機器５１の配線を集約した第２のコネクタ５４を有し、外面機器５１は、第１のコネクタ３１と第２のコネクタ５４の接続により、内部機器３と電気的に接続している。
【００３４】
従来、外面機器と内部機器の接続は、個々に配線を引いていたため、外面機器を扉に取り付けた後も、外面機器を内部機器と接続させるために、相当な時間を要していた。しかし、本実施形態では、内部機器３の配線が集約されたコネクタ３１を備え、パネル５は、外面機器５１の配線を集約させたコネクタ５４を有する。また、パネル５は着脱可能なので、外面機器５１の配線をコネクタ５４に集約させる作業は、内部機器３を筐体２の内部に収容させる作業や内部機器３の配線をコネクタ３１に集約させる作業と同時に行うことができる。そして、コネクタ５４とコネクタ３１を接続させるだけで、外面機器５１と内部機器３を電気的に接続させることができる。よって、外面機器５１と内部機器３を容易にかつ効率良く接続させることが可能となり、監視盤１の生産性が向上する。
【００３５】
パネル５は、扉４にネジ５２を締結することにより固定されている。これにより、パネル５を扉４に容易に取り付けたり、取り外したりすることができる。
【００３６】
パネル５は、開口部４１にパネル５を取り付ける際の目印となる位置決め部５３ａ、５３ｂを有する。これにより、パネル５を扉４に取り付けを行う作業者は、容易にパネル５のネジ５２を取付穴４２の位置に合わせることができるので、作業効率が向上する。
【００３７】
位置決め部５３ａ、５３ｂは、パネル５の下側に設けられている。これにより、パネル５を扉４に取り付け作業を行う際、位置決め部５３ａ、５３ｂを開口部４１の底面４１１に置くことができ、作業者にかかるパネル５の重さを緩和させることができる。したがって、作業者は、より容易にパネル５の取付作業を行うことができ、作業効率が向上する。
【００３８】
（第２の実施形態）
第２の実施形態に係る監視盤１について図面を参照しつつ説明する。なお、第１の実施形態と同一の構成及び同一の機能については、同一の符号を付して詳細な説明は省略する。図６は、第２の実施形態の監視盤の斜視図である。図６に示すように、本実施形態の扉４は、表示器４４を有している点が、第１の実施形態とは異なる。
【００３９】
表示器４４は、内部機器３の異常を目視可能に表示する装置である。表示器４４は、扉４の正面（内部機器３と対向する面の反対の面）に設けられている。つまり、表示器４４は、外部から目視可能に設けられている。表示器４４としては、例えば、液晶、有機ＥＬ、無機ＥＬ等の原理を用いたディスプレイ、異常を知らせるランプなど外部から目視可能に異常を知らせることができる種々のものを用いることができる。
【００４０】
表示器４４は、コネクタ５４とは異なる配線で内部機器３と接続している。つまり、表示器４４は、パネル５が有する外面機器５１とは異なる独立した配線で内部機器３と接続している。この表示器４４と接続している内部機器３とは、コネクタ３１、５４によって外面機器５１と接続している内部機器３の異常を検知する機器を指す。
【００４１】
以上のとおり、本実施形態の監視盤１は、扉４は、内部機器３の異常を表示する表示器４４を有し、表示器４４は、コネクタ５４とは異なる配線で内部機器３と接続している。つまり、表示器４４は、別個独立した配線で内部機器３と接続している。これにより、コネクタ３１、５４を介して内部機器３の情報を外面機器５１に伝達できない場合であっても、内部機器３の異常を表示器４４に伝達させることができる。したがって、内部機器３に異常が生じた場合であっても、表示器４４に異常を表示させることが可能であり、内部機器３の異常を早期に発見することができる。
【００４２】
（他の実施形態）
本明細書においては、本発明に係る実施形態を説明したが、この実施形態は例として提示したものであって、発明の範囲を限定することを意図していない。上記のような実施形態は、その他の様々な形態で実施されることが可能であり、発明の範囲を逸脱しない範囲で、種々の省略や置き換え、変更を行うことができる。実施形態やその変形は、発明の範囲や要旨に含まれると同様に、特許請求の範囲に記載された発明とその均等の範囲に含まれるものである。
【００４３】
本実施形態では、外面機器５１は、パネル５にのみ設けられていたが、図７に示すように、パネル５とは別個に扉４にも外面機器４５を設けていてもよい。この外面機器４５は、パネル５が有するコネクタ５４と接続させ、コネクタ５４とコネクタ３１とを接続させることで、内部機器３と電気的に接続させてもよいし、コネクタ５４とは別個独立した配線を引き、内部機器３と接続させてもよい。
【００４４】
本実施形態では、位置決め部５３は、２つ設けたが、これに限定されず、１つのみでもよいし、３つ以上設けてもよい。位置決め部５３の位置は、パネル５の下側に限定されず、例えば、開口部４１の上側の角に２つ設けてもよいし、開口部４１の４つの角全てに設けてもよい。また、位置決め部５３の位置は、開口部４１の角ではなく、例えば、底面４１１の中央に１つのみ設けてもよい。さらに、位置決め部５３は、ネジ５２を取付穴４２に位置合わせする際の目印となるものであれば如何なる形状であってもよい。
【００４５】
本実施形態では、取付穴４２及びネジ５２は、４つずつ設けたが、パネル５が扉４に固定できるのであれば、その数は、これに限定されない。例えば、パネル５が大きく重量がある場合には、取付穴４２及びネジ５２は、８つずつ設けていてもよい。
【００４６】
パネル５には、作業者が把持する取っ手を設けてもよい。これにより、作業者は、パネル５を持ち運び易くなり、作業性が向上する。
【符号の説明】
【００４７】
１  監視盤
２  筐体
２１  開口
３  内部機器
３１  コネクタ
４  扉
４１  開口部
４１１  底面
４１２、４１３  側面
４２  取付穴
４４  表示器
４５  外面機器
５  パネル
５１  外面機器
５２  ネジ
５３  位置決め部
５４  コネクタ
５５  雌ネジ
【図１】
2020114148.tif 000003
【図２】
2020114148.tif 000004
【図３】
2020114148.tif 000005
【図４】
2020114148.tif 000006
【図５】
2020114148.tif 000007
【図６】
2020114148.tif 000008
【図７】
2020114148.tif 000009